(57)【特許請求の範囲】
【請求項１】
扁平型電池の一面に対応する底板部と、電池周面に対応する周壁部が設けられ、上面に電池が挿入される開口部を有するケースと、このケースの開口部内に配設され、電池の各電極と弾接する第１及び第２の端子とを備え、前記ケースの開口部の一端側には、挿入された電池の上面と係合し電池の離脱を阻止する阻止突部を形成すると共に、この阻止突部に対向する前記ケースの開口部の他端側には、電池の挿入に伴って前記底板部側へ回動し、電池の周面を前記周壁部方向へ押圧する弾性変形可能な弾性腕部を有する電池保持部を形成したことを特徴とする電池ホルダ。
【請求項２】
前記電池保持部が形成された前記周壁部の一端側に、電池周面と当接して電池を対向する周壁部側へ押圧する前記第１の端子を形成し、これと対向する前記周壁部の他端側に、電池の一面と当接して電池を前記ケースの開口部の上面側に設けられた前記阻止突部に押圧する前記第２の端子を形成し、挿入された電池は、前記弾性腕部及び前記第１の端子の両方の押圧力によって、電池の周面がこれと対向する前記阻止突部が形成された周壁部方向へ押圧されていることを特徴とする請求項１記載の電池ホルダ。
【請求項３】
前記弾性腕部は、前記ケースの周壁部から一体的に延設されたヒンジ部によって形成されており、前記電池保持部は、前記弾性腕部を介して前記ケースの周壁部に回動可能に保持されていることを特徴とする請求項１、又は２記載の電池ホルダ。
【請求項４】
前記電池保持部は、中央に電池が挿入される挿入部と、この挿入部を挟んで上下に対向して電池を挟持する挟持部を有し、下面側に形成された前記挟持部の内側下部には、電池の逆挿入時に電池の上面縁部に当接してそれ以上の挿入を阻止する傾斜面部を設けたことを特徴とする請求項１乃至３の何れかに記載の電池ホルダ。
【請求項５】
前記傾斜面部の下面側先端と前記阻止突部の先端とを軌跡とする仮想円の空間部の径が、電池の外周径よりも小さくなるように形成したことを特徴とする請求項４記載の電池ホルダ。
【発明の詳細な説明】
【０００１】
【発明の属する技術分野】
本発明は、ゲームソフトや事務機器など各種電子機器のメモリーバックアップ用として使用される電池ホルダの構造に関し、特に扁平型電池の収納構造に関する。
【０００２】
【従来の技術】
従来の扁平型電池の電池ホルダの構造を図１４乃至図１６に示す。図１４は電池ホルダを示す平面図、図１５は図１４の１５−１５線における断面図、図１６は図１４の１５−１５線で切断した状態の斜視図である。
【０００３】
図において、ケース３１は合成樹脂などの絶縁材からなり、上部が開口された略筒状に形成されている。このケース３１には、扁平型電池３２の一面に対応する底板部３１ａと、この電池３２の周面に対応する周壁部３１ｂが設けられ、上面には前記電池３２を挿入するための開口部３１ｃが設けられている。また、前記周壁部３１ｂの一端側には、切欠部３１ｄが設けられ、この切欠部３１ｄの他端側で前記周壁部３１ｂの内側には、挿入された前記電池３２の周面に当接してこの電池３２を前記切欠部３１ｄ方向へ押圧する弾性を有する第１の端子３３が配設されており、前記底板部３１ａの内面には、前記電池３２の一面に当接する第２の端子３４が配設されている。また、前記切欠部３１ｄと前記第１の端子３３が設けられた前記周壁部３１ｂの上端側には、前記開口部３１ｃから挿入された前記電池３２の上面を抑えて、前記電池３２が前記開口部３１ｃから離脱するのを阻止する阻止突部３１ｅ、３１ｆがそれぞれ形成されたものとなっている。
【０００４】
前記第１、および第２の端子３３、３４は、ステンレス鋼板などのばね性のある金属板から形成され、表面にニッケルメッキなどが施されている。前記第１の端子３３には、前記ケース３１の周壁部３１ｂ内に配設され、前記扁平型電池３２の周面（正極面）３２ａに接触する一対からなる第１の接点部３３ａが設けられており、また、前記第２の端子３４には、前記ケース３１の底板部３１ａ内に配設され、前記電池３２の下面（負極面）３２ｂに接触する第２の接点部３４ａが設けられている。また、前記第１、および第２の端子３３、３４の一端側は、前記ケース３１から外方へ突出されて、プリント基板３５の導電パターン（図示せず）に接続されるものとなっている。
【０００５】
次に、前記電池ホルダへ前記扁平型電池３２を収納するには、前記プリント基板３５上に前記電池ホルダを実装し、前記第１、および第２の端子３３、３４を前記導電パターン（図示せず）に半田付けした後、前記電池３２を前記ケース３１の開口部３１ｃから斜めに傾けた状態で挿入する。この時、前記電池３２は、その上面が前記周壁部３１ｂの上端側に設けられたそれぞれの阻止突部３１ｅ、３１ｆにより係止され、下面（負極面）３２ｂが前記底板部３１ａに配設された前記第２の接点部３４ａと当接されることで保持され、前記電池３２の周面（正極面）３２ａは、一対の前記第１の接点部３３ａと接触することで、前記ケース３１内に収納されるものとなる。
【０００６】
【発明が解決しようとする課題】
しかしながら、上述した従来の扁平型電池の電池ホルダの構造においては、前記ケース３１の周壁部３１ｂの上端側に電池３２の離脱を阻止する前記阻止突部３１ｅ、３１ｆを形成しており、前記ケース３１の開口部３１ｃから斜めに傾けた状態で電池を挿入してこの阻止突部３１ｅ、３１ｆに電池上面を係止していることから、電池の挿入性を考慮すると前記阻止突部３１ｅ、３１ｆを大きく形成することができず、このために電池３２を強固に係止保持することが困難であり、外部から振動や衝撃が加わった場合に電池３２が前記ケース３１から飛び出したり、瞬間的に接点部が離間して電源がオフの状態となってしまうという問題があった。
【０００７】
したがって、本発明では上述した問題点を解決し、電池ホルダに扁平型電池を挿入する場合に、挿入性が良好であると共に、外部からの振動や衝撃に対しても強固に係止保持して飛び出しや接点部の離間などの発生を防止することができる扁平型電池の電池ホルダの構造を提供することを目的とする。
【０００８】
【課題を解決するための手段】
上記課題を解決するために本発明では第１の手段として、扁平型電池の一面に対応する底板部と、電池周面に対応する周壁部が設けられ、上面に電池が挿入される開口部を有するケースと、このケースの開口部内に配設され、電池の各電極と弾接する第１及び第２の端子とを備え、前記ケースの開口部の一端側には、挿入された電池の上面と係合し電池の離脱を阻止する阻止突部を形成すると共に、この阻止突部に対向する前記ケースの開口部の他端側には、電池の挿入に伴って前記底板部側へ回動し、電池の周面を前記周壁部方向へ押圧する弾性変形可能な弾性腕部を有する電池保持部を形成したことを特徴とする。
【０００９】
また、第２の手段として、前記電池保持部が形成された前記周壁部の一端側に、電池周面と当接して電池を対向する周壁部側へ押圧する前記第１の端子を形成し、これと対向する前記周壁部の他端側に、電池の一面と当接して電池を前記ケースの開口部の上面側に設けられた前記阻止突部に押圧する前記第２の端子を形成し、挿入された電池は、前記弾性腕部及び前記第１の端子の両方の押圧力によって、電池の周面がこれと対向する前記阻止突部が形成された周壁部方向へ押圧されていることを特徴とする。
【００１０】
また、第３の手段として、前記弾性腕部は、前記ケースの周壁部から一体的に延設されたヒンジ部によって形成されており、前記電池保持部は、前記弾性腕部を介して前記ケースの周壁部に回動可能に保持されていることを特徴とする。
【００１１】
また、第４の手段として、前記電池保持部は、中央に電池が挿入される挿入部と、この挿入部を挟んで上下に対向して電池を挟持する挟持部を有し、下面側に形成された前記挟持部の内側下部には、電池の逆挿入時に電池の上面縁部に当接してそれ以上の挿入を阻止する傾斜面部を設けたことを特徴とする。
【００１２】
また、第５の手段として、前記傾斜面部の下面側先端と前記阻止突部の先端とを軌跡とする仮想円の空間部の径が、電池の外周径よりも小さくなるように形成したことを特徴とする。
【００１３】
【発明の実施の形態】
以下、本発明の１実施例を図１乃至図１１に示す。図１は本発明の電池ホルダを示す斜視図、図２は図１の一部を破断した状態の斜視図、図３は図１とは異なる方向から見た電池ホルダの斜視図、図４は図３の一部を破断した状態の斜視図、図５は電池ホルダに電池を挿入した状態を示す斜視図、図６は同じく図５とは異なる方向から見た斜視図、図７は電池ホルダに電池を挿入する状態を示す説明図、図８は同じく挿入完了状態を示す説明図、図９は電池を逆挿入した状態を示す説明図、図１０は電池の正挿入時を示す簡易説明図、図１１は電池の逆挿入時を示す簡易説明図である。
【００１４】
図において、ケース１は、合成樹脂などの絶縁材で略筒状に形成されており、その中央には扁平型電池２が収納される収納部１ａが形成されている。この収納部１ａには、前記電池２の一面と対応する平板状の底板部１ｂと、この底板部１ｂの周縁に立直した前記電池２の周面と対応する周壁部１ｃが形成されて、この周壁部１ｃの上端側が前記電池２が挿入される開口部１ｄとなっている。
【００１５】
また、前記収納部１ａの下端には、一対の窓孔１ｅ、１ｆが設けられており、一方の窓孔１ｅに対応する前記周壁部１ｃの一端側には前記電池２の正極面である周面２ａと接触する後述する第１の端子４が配設され、他方の窓孔１ｆに対応する前記周壁部１ｃには前記電池２の負極面である一面（下面）２ｂと接触する後述する第２の端子５が配設されている。
【００１６】
また、前記周壁部１ｃの第１の端子４が配設された一端側には、弾性変形可能なヒンジ部からなる弾性腕部１ｇを介して、電池保持部３が一体的に形成されている。この電池保持部３は、前記弾性腕部１ｇの弾性により前記周壁部１ｃに回動可能に取り付けられており、中央に電池が挿入される空間からなる挿入部３ａと、この挿入部３ａを挟んで上下に対向して配設された挟持部３ｂ、３ｃとが形成されている。また、この挟持部３ｂ、３ｃのうち下面側に形成された前記挟持部３ｃの内側下部には、斜面からなる傾斜面部３ｄが設けられており、この傾斜面部３ｄが前記電池２の逆挿入時に電池２の上面縁部に当接してそれ以上の挿入を阻止するようになっている。
【００１７】
また、前記周壁部１ｃの第２の端子５が配設された他端側には、第２の端子５を挟んで一対の阻止突部１ｈが前記開口部１ｄ内に突出されて形成されている。したがって、前記収納部１ａに前記電池２が挿入された時には、前記阻止突部１ｈに前記電池２の上面が当接して上方への動きが規制されることから、前記電池２の前記開口部１ｄからの離脱を阻止するものとなっている。
【００１８】
また、前記収納部１ａに前記電池２を挿入する前の状態で、前記電池保持部３の下面側に設けられた前記傾斜面部３ｄの下面側先端と前記阻止突部１ｈの先端とを軌跡とする仮想円の空間部の径Ｌ１が、前記電池２の外周径Ｌ２よりも小さくなるように形成されており、確実に電池の逆挿入を阻止することが可能となっている。また、上面側に設けられた前記挟持部３ｂは、前記阻止突部１ｈに比較して突出する方向の長さが長く形成されており、電池２の上面に確実に係止されるものとなっている。（図１０及び図１１）
【００１９】
第１の端子４は、ステンレス鋼板などのばね性のある金属板から形成され、必要に応じて表面にニッケルなどのメッキ処理が施されている。この第１の端子４の一端側には、略Ｕ字状に折り曲げられた屈曲部４ａが形成されており、この屈曲部４ａの自由端には突出した突起からなる第１の接点部４ｂが形成されている。この第１の接点部４ｂが前記屈曲部４ａのばね性により前記電池２の正極面である周面２ａに弾圧されて接触するようになっている。また、前記第１の端子４の他端側には、前記第１の接点部４ｂから延設された第１の接続部４ｃが形成されており、その先端部が前記ケース１の外部へ導出されたものとなっている。
【００２０】
第２の端子５は、同じくステンレス鋼板などのばね性のある金属板から形成され、必要に応じて表面にニッケルなどのメッキ処理が施されている。この第２の端子５の一端側は、略Ｌ字状に折り曲げられ二股状とされ、その先端側が前記収納部１ａの開口部１ｄ側を向くように形成されており、この先端には突出した突起からなる第２の接点部５ａが形成されている。この第２の接点部５ａが前記電池２の一面の負極面である下面２ｂに弾圧されて接触するようになっている。また、前記第２の端子５の他端側には、前記第２の接点部５ａから延設された第２の接続部５ｂが形成されており、その先端部が前記ケース１の外部へ導出されたものとなっている。
【００２１】
次に、上述した本発明の電池ホルダへ前記電池２を収納するには、図示しないプリント基板上に前記電池ホルダを実装し、前記第１、および第２の端子４、５の接続部４ｃ、５ｂを、図示しない導電パターンにリフローなどの方法で半田付けをする。
【００２２】
次に、前記電池２を前記ケース１の開口部１ｄから挿入する。この時、前記電池２は、その先端部が前記開口部１ｄの一端側に設けられた前記電池保持部３の挿入部３ａに挿入されることとなるが、この挿入に伴って、前記電池保持部３は、前記周壁部１ｃに連設された弾性腕部１ｇが弾性変形して撓むことにより前記底板部１ｂ側へと回動されることとなる。そして、前記電池保持部３が撓んで回動することにより、前記電池２の他端側は前記阻止突部１ｈに当接しないで前記開口部１ｄ内へと挿入され、前記収納部１ａ内に収納されるものとなる。
【００２３】
この場合、前記電池２の挿入前の状態においては、前記電池保持部３の挿入部３ａは、前記弾性腕部１ｇのばね性によって前記開口部１ｄ側に拡開した状態となっており、前記電池２は斜め上方から挿入するようになっているため、上面側に形成された前記挟持部３ｂが多少長く形成されていても、電池２の挿入に伴って、前記弾性腕部１ｇが撓んで回動するようになっていることから、電池２の挿入を容易に行うことができると共に、確実に電池を保持することができるものとなっている。
【００２４】
また、前記電池２が前記収納部１ａに収納された状態においては、前記電池２の正極面である周面２ａは、前記第１の接点部４ｂに接触して、前記第１の端子４の弾性による押圧力と、前記電池保持部３の弾性腕部１ｇの弾性による押圧力との両方の押圧力により、これと対向する前記阻止突部１ｈが形成された周壁部１ｃの方向へ押圧された状態となっており、また、前記電池２の負極面である下面２ｂは、前記第２の接点部５ａに接触して、前記第２の端子５の弾性による押圧力により上面が前記阻止突部１ｈに押圧された状態となっていることから、電池２を上下、左右方向へ強固に係止することが可能となり、電池２を確実に前記収納部１ａに保持できるものとなっている。この状態で、前記電池２は、前記第１の端子４の第１の接点部４ｂと第２の端子５の第２の接点部５ａとに接続された状態で、前記ケース１内に収納されるものとなる。
【００２５】
次に、電池２を逆方向に挿入した場合について図９乃至図１１で説明する。図９は電池２を逆方向へ挿入した場合を示しており、前記電池２を前記ケース１の開口部１ｄから上下方向を逆（電池２の負極面である下面２ｂを上側）にして挿入した場合、前記電池２は、その先端部が前記開口部１ｄの一端側に設けられた前記電池保持部３の挿入部３ａに挿入されることとなるが、この挿入部３ａを挟んで上下に対向して配設された前記挟持部３ｂ、３ｃのうち下面側に形成された前記挟持部３ｃの内側下部には、斜面からなる前記傾斜面部３ｄが設けられており、図１０に示すように電池２を正しい方向で挿入した場合には、前記傾斜面部３ｄと前記電池２の下側の外周端部とは当接しないようになっているが、図１１に示すように電池２を逆方向へ挿入した場合には、この傾斜面部３ｄに電池２の上面縁部が当接するようになっている。
【００２６】
このため、電池２を逆方向へ挿入した場合には、前記電池２は前記挿入部３ａへのそれ以上の挿入が阻止され、前記電池２の外周端部が前記開口部１ｄに設けられた前記阻止突部１ｈの先端にぶつかり電池２の挿入を阻止することができる。
【００２７】
また、前記収納部１ａに前記電池２を挿入する前の状態で、前記電池保持部３の下面側に形成された前記挟持部３ｃの内面下側に設けられた前記傾斜面部３ｄの下面側先端と前記阻止突部１ｈの先端とを軌跡とする仮想円の空間部の径Ｌ１が、前記電池２の外周径Ｌ２よりも小さくなるように形成されていることから、電池２を逆方向に挿入した場合には、確実に電池２の挿入を阻止することが可能となっている。
【００２８】
上述した、本発明の電池ホルダの構成においては、上面に電池２が挿入される開口部１ｄを有する前記ケース１の一端側に、前記弾性腕部１ｇを有する前記電池保持部３を形成すると共に、この電池保持部３の挿入部３ａを、前記弾性腕部１ｇのばね性によって前記開口部１ｄ側に拡開した状態となるように設け、前記電池２の挿入に伴って、前記弾性腕部１ｇが撓んで回動するように形成したことから、電池２の挿入を容易に行うことができるものとなっている。
【００２９】
また、前記電池保持部３に対向する前記開口部１ｄの他端側には、挿入された前記電池２の上面と係合し電池２の離脱を阻止する前記阻止突部１ｈを形成すると共に、前記ケース１に挿入された電池２は、前記第１の端子４の押圧力に加えて、前記弾性腕部１ｇのばね性の押圧力によって、前記電池２の周面２ａがこれと対向する前記阻止突部１ｈが形成された周壁部１ｃ方向へ押圧されることになるため、電池２を上下、左右方向へ強固に係止することが可能となり、外部から振動や衝撃が加わった場合に電池２が前記ケース１から飛び出したり、瞬間的に接点部が離間して電源がオフの状態となってしまうことを防止できるものとなっている。
【００３０】
また、前記弾性腕部１ｇは、前記ケース１の周壁部１ｃから一体的に延設されたヒンジ部によって形成されており、このヒンジ部によって前記電池保持部３を前記ケース１の周壁部１ｃに回動可能に保持するようにしたことから、構造が簡易となり、安価対応が可能となっている。
【００３１】
図１２及び図１３は本発明の他の実施例を示し、図１２及図１３は本発明の電池ホルダの一部破断した状態を示す斜視図である。
尚、図１乃至図１１で説明した同一部品については、同一符号を付してその説明を省略する。
【００３２】
図１２、図１３に示す電池ホルダは、電池保持部の構造が上記実施例とは一部相違している。上記実施例においては、前記電池保持部３は、前記ケース１と同一材料のヒンジ部からなる弾性腕部１ｇで前記ケース１の周壁部１ｃに一体的に形成されていたが、本実施例においては、ケース１とは異なる金属板などからなる別部品で弾性腕部が形成されている。
【００３３】
図１２に示す電池保持部６は、金属材からなる第１の端子７に回動可能に取り付けられており、前記第１の端子７の第１の接点部７ｂが形成された屈曲部７ａの両側部上端側に、延設されたヒンジ部からなる弾性腕部７ｃが形成されたものとなっている。本構造によれば、前記電池保持部６は金属材のばね性によって回動可能に保持されるものとなり、電池挿入時に電池２の周面２ａを押圧する押圧力を金属材のばね性を利用して行うことから、押圧力が安定し、ケース１内に確実に電池を保持することができる。また、前記弾性腕部７ｃを前記第１の端子７に形成したことから、部品を増加する必要がなく安価対応が可能となる。
【００３４】
また、図１３に示す電池保持部８は、第１の端子９とは別の金属材などの材料で弾性腕部１０を形成して、後からヒンジ部として一体化したもので、弾性腕部１０を別部品で構成することで構造の簡易化が図れるものとなっている。
【００３５】
【発明の効果】
以上説明したように、本発明の電池ホルダは、上面に電池が挿入される開口部を有するケースの開口部の一端側に、挿入された電池の上面と係合し電池の離脱を阻止する阻止突部を形成すると共に、この阻止突部に対向するケースの開口部の他端側には、電池の挿入に伴って底板部側へ回動し、電池の周面を周壁部方向へ押圧する弾性変形可能な弾性腕部を有する電池保持部を形成したことから、電池の挿入に伴って、弾性腕部が撓んで回動するようになっているため、電池の挿入を容易に行うことができると共に、確実に電池を保持することができる。
【００３６】
また、電池保持部が形成された周壁部の一端側に、電池周面と当接して電池を対向する周壁部側へ押圧する第１の端子を形成し、これと対向する周壁部の他端側に、電池の一面と当接して電池を前記ケースの開口部の上面側に設けられた阻止突部に押圧する第２の端子を形成し、挿入された電池は、弾性腕部及び第１の端子の両方の押圧力によって、電池の周面がこれと対向する阻止突部が形成された周壁部方向へ押圧されていることから、電池を上下、左右方向へ強固に係止することが可能となり、外部から振動や衝撃が加わった場合に電池がケースから飛び出したり、瞬間的に接点部が離間して電源がオフの状態となってしまうことを防止できる。
【００３７】
また、弾性腕部は、ケースの周壁部から一体的に延設されたヒンジ部によって形成されており、電池保持部は、弾性腕部を介してケースの周壁部に回動可能に保持されていることから、構造が簡易となり、安価対応が可能となる。
【００３８】
また、電池保持部は、中央に電池が挿入される挿入部と、この挿入部を挟んで上下に対向して電池を挟持する挟持部を有し、下面側に形成された挟持部の内側下部には、電池の逆挿入時に電池の上面縁部に当接してそれ以上の挿入を阻止する傾斜面部を設けたことから、電池を逆方向へ挿入した場合には、電池の挿入部へのそれ以上の挿入を阻止することができる。
【００３９】
また、傾斜面部の下面側先端と前記阻止突部の先端とを軌跡とする仮想円の空間部の径が、電池の外周径よりも小さくなるように形成したことから、電池を逆方向に挿入した場合には、確実に電池の挿入を阻止することが可能となる。
【図面の簡単な説明】
【図１】本発明の１実施例である電池ホルダを示す斜視図である。
【図２】本発明の図１の一部を破断した状態を示す斜視図である。
【図３】本発明の図１とは異なる方向から見た電池ホルダを示す斜視図である。
【図４】本発明の図３の一部を破断した状態を示す斜視図である。
【図５】本発明の電池ホルダに電池を挿入した状態を示す斜視図である。
【図６】本発明の図５とは異なる方向から見た電池ホルダに電池を挿入した状態を示す斜視図である。
【図７】本発明の電池ホルダに電池を挿入する途上の状態を示す説明図である。
【図８】本発明の電池ホルダに電池の挿入が完了した状態を示す説明図である。
【図９】本発明の電池ホルダに電池を逆挿入した状態を示す説明図である。
【図１０】本発明の電池ホルダの電池の正挿入時を示す簡易説明図である。
【図１１】本発明の電池ホルダの電池の逆挿入時を示す簡易説明図である。
【図１２】本発明の他の実施例である電池ホルダの一部を破断した状態を示す斜視図である。
【図１３】本発明の更に他の実施例である電池ホルダの一部を破断した状態を示す斜視図である。
【図１４】従来の電池ホルダの構造を示す平面図である。
【図１５】従来の図１４の１５−１５線における断面図である。
【図１６】従来の図１４の１５−１５線で切断した状態を示す斜視図である。
【符号の説明】
１  ケース
１ａ  収納部
１ｂ  底板部
１ｃ  周壁部
１ｄ  開口部
１ｅ，１ｆ  窓孔
１ｇ  弾性腕部
１ｈ  阻止突部
２  電池
２ａ  周面（正極面）
２ｂ  下面（負極面）
３，６，８  電池保持部
３ａ  挿入部
３ｂ，３ｃ  挟持部
３ｄ  傾斜面部
４，７，９  第１の端子
４ａ，７ａ  屈曲部
４ｂ，７ｂ  第１の接点部
４ｃ  第１の接続部
５  第２の端子
５ａ  第２の接点部
５ｂ  第２の接続部
７ｃ，１０  弾性腕部
【図１】
0003673456.tif 000002
【図２】
0003673456.tif 000003
【図３】
0003673456.tif 000004
【図４】
0003673456.tif 000005
【図５】
0003673456.tif 000006
【図６】
0003673456.tif 000007
【図７】
0003673456.tif 000008
【図８】
0003673456.tif 000009
【図９】
0003673456.tif 000010
【図１０】
0003673456.tif 000011
【図１１】
0003673456.tif 000012
【図１２】
0003673456.tif 000013
【図１３】
0003673456.tif 000014
【図１４】
0003673456.tif 000015
【図１５】
0003673456.tif 000016
【図１６】
0003673456.tif 000017